(57)【要約】      （修正有）【課題】使用者が赤ちゃんを抱いて移動する際、赤ちゃんのよだれによる問題点を基本的に防ぎながら、移動する間、常にその形態が維持できるようにする密着型よだれパッドを提供する。【解決手段】赤ちゃん１０のよだれパッド１００はパッド部１５０及び一対の肩固定部２００を含む。よだれパッド部１５０は赤ちゃん１０を抱っこした使用者２０の胸の部位に位置する。肩固定部２００はよだれパッド部１５０の左上下部位および右上下部位各々に使用者２０の左側及び右側の肩を包み込む構造でよだれパッド部１５０を胸部位に密着させる。【選択図】図１
0003227217.tif 000002
【実用新案登録請求の範囲】
【請求項１】
赤ちゃんを抱っこした使用者の胸部位に位置したよだれパッド部；及び上記よだれパッド部の左上下部位及び右上下部位各々に上記使用者の左側及び右側の肩各々に包む構造で上記よだれパッド部を上記胸部位に密着させる一対の肩固定部を含み、各肩固定部は上記左上下部位のうちどちらか一方または上記右上下部位のうちどちらか一方から上記使用者の左側及び右側の肩各々を包むよう延長された下段部に第一結合部を含む延長部；及び上記左上下部位のうちどちらか一方または上記右上下部位のうちどちらか一方に装着した上記第一結合部と結合する第二結合部を備えた締結部を含むことを特徴とする密着型赤ちゃんよだれパッド。
【請求項２】
請求項１において上記延長部は中間部位に長さ調整のための長さ調整部をさらに含むことを特徴とする密着型赤ちゃんよだれパッド。
【請求項３】
請求項２において、上記長さ調整部は上記第一結合部との間で二重の紐構造で長さ調整が可能な８字型バックルを含むことを特徴とする密着型赤ちゃんよだれパッド。
【請求項４】
請求項１において、上記第一結合部はバックル構造を持ち、上記第二結合部は上記バックル構造が着脱可能なゴムバンド構造を持つことを特徴とする密集着型赤ちゃんよだれパッド。
【請求項５】
請求項１において、上記延長部の上記よだれパッド部の左上下部位のうちどちらか一方または上記右上下部位のうちどちらか一方と連結する部位に上記延長部を左右方向に移動ができるよう形成されたレール部；及び上記レール部に設置された上記レールに沿って移動する上記延長部を固定するレール固定部をさらに含むことを特徴とする密着型赤ちゃんよだれパッド。
【考案の詳細な説明】
【技術分野】
【０００１】本考案は赤ちゃんのよだれパッドに関するものとして、使用者が赤ちゃんを安全に楽に抱っこしながら移動する際の不便さ、不快さを解決するための密着型よだれパッドに関するものである。
【背景技術】
【０００２】赤ちゃんは実質的に歩行が不可能であり、移動する場合は使用者が安全に抱っこして移動することになる。そのまま抱っこした状態で長時間移動することは実際には難しく、一般的に使用者は赤ちゃんを安全に支えてくれる抱っこ紐を使用する。このような抱っこ紐は安全はもちろんのこと便利さも提供する必要があり、通常、使用者が赤ちゃんを前に抱っこした状態で赤ちゃんの背中とお尻を使用者の肩と腰でベルトを通し、赤ちゃんを支える構造を持っている。  このような抱っこ紐を使用する場合、赤ちゃんの顔が構造上、使用者の胸辺りに接触するようになっている。これにより、赤ちゃんのよだれが使用者の服に付着したり、使用者のニットのような肌触りの粗い服により、赤ちゃんの顔の肌にトラブルが発生することを防ぐために別途よだれパッドを使用者の胸に装着して使用している。
【先行技術文献】
【特許文献】
【０００３】
【特許文献１】実願昭４７−０２５４９９（発明の名称；ヨダレカケ）
【考案の概要】
【考案が解決しようとする課題】
【０００４】しかしながら、既存のよだれパッドは赤ちゃんの首や背中に使用者が装着してあげる方式で、直接このような形で使用する場合、首や背中で自ら着脱することは難しく、上記抱っこ紐の両肩ベルトに連結するように使用されているので、実質的に使用者の胸に密着せず、使用者が移動する過程でその位置がずれてしまったり、上記抱っこ紐と一緒に動いて折れてしまい、赤ちゃんに深刻な不便さを与えてしまうと考えられる。また、最近の上記抱っこ紐の軽量化により、スリング型抱っこ紐が広く使用されている。これにより、上記スリング型抱っこ紐は幅広いファブリック生地を使用者の肩に広く広げ、赤ちゃんの体重を分散させる構造を持っているため、上記使用者の肩を支えるベルトがないことから既存のよだれパッドを実質使用することが難しいという問題点が存在する。
【課題を解決するための手段】
【０００５】本発明の目的を達成するために、赤ちゃんのよだれパッドはパッド部及び一対の肩固定部（２００）を含む。上記よだれパッド部は赤ちゃんを抱っこした使用者の胸の部位に位置する。上記肩固定部（２００）は上記よだれパッド部の左上下部位および右上下部位各々に上記使用者の左側及び右側の肩を包み込む構造で上記よだれパッド部を上記胸部位に密着させる。ここで、各肩固定部（２００）とは上記左上下部位のうち一つまたは上記右上下部位のうちどちらか一つで上記使用者の左側または右側の肩各々を包むよう延長され下段部に第一結合部を含む延長部および上記左上下部位のうちもう一方または上記右上下部位のうちもう一方に装着された上記第一結合部と結合する第二結合部を備えた締結部を含む。実施例による上記延長部は中間部位に長さ調節のための長さ調節部を含むことができる。実施例による上記長さ調節部は上記第一結合部との間で二重の紐構造で長さ調節が可能な８字型バックルを含むことができる。実施例による上記第一結合部はフック構造を持ち、上記第二結合部は上記フック構造が着脱可能なゴムバンド構造を持っているといえる。実施例による上記赤ちゃんのよだれパッドは上記延長部の上記よだれパッド部左上下部位のうちどちらか一方、または上記右上下部位のうちどちらか一方の連結される部位に上記延長部を左右方向に移動ができるよう形成されたレール部及び上記レール部に設置され、上記レール部に沿って移動できる上記延長部を固定するレール固定部をさらに含ことができる。
【考案の効果】
【０００６】上記した本発明の赤ちゃんのよだれパッドに対する実施例によると、赤ちゃんを抱っこ紐などを通じて抱っこした使用者の胸部位によだれパッド部を密着させた状態で一対の肩固定部（２００）で上記よだれパッド部の左上下部位及び右上下部位を各々上記使用者の左側及び右側の肩各々を包む構造で上記よだれパッド部を上記胸部位に密着させることで、上記使用者が移動する過程で発明の背景となる技術で説明したように上記よだれパッド部が浮いたり、折れることを防止することができる。  これにより、上記使用者は上記赤ちゃんのよだれが服に付着したり、上記使用者のニットのような肌触りが粗い生地の服で赤ちゃんの顔の肌にトラブルを起こすことを防ぐことができる。
【図面の簡単な説明】
【０００７】
【図１】図１は本発明の実施例による赤ちゃんのよだれパッドを赤ちゃんを抱っこした使用者が装着した状態を正面から表した図面である。
【図２】図２は図１で図示した赤ちゃんのよだれパッドを使用者が装着した状態を具体的に表した図面である。
【図３】図３は図２で図示した赤ちゃんのよだれパッドを使用者が装着した状態を後ろから眺めた図面である。
【図４】図４は図２で図示した赤ちゃんのよだれパッドを具体的に表した図面である。
【図５】図５は図２で図示した赤ちゃんのよだれパッドを異なった実施例により具体的に表した図面である。
【考案を実施するための形態】
【０００８】以下、添付した図面を参照し、本発明の実施例による赤ちゃんのよだれパッドについて詳しく説明する。図１は本発明の実施例による赤ちゃんのよだれパッドを赤ちゃんを抱っこした使用者が装着した状態を正面から表した図面で、図２は図１で図示した赤ちゃんのよだれパッドを使用者が装着した状態を具体的に表した図面で、図３は図２で図示した赤ちゃんのよだれパッドを使用者が装着した状態を後ろから眺めた図面で、図４は図２で図示した赤ちゃんのよだれパッドを具体的に表した図面である。
【０００９】図１または図４に示すように、本発明の実施例による密着型よだれパッド（１００）はよだれパッド部（１５０）及び一対の肩固定部（２００（３００）を含む。
上記よだれパッド部（１５０）は赤ちゃん（１０）を抱っこした使用者（２０）の胸部位に位置する。上記よだれパッド部（１５０）は上記赤ちゃん（１０）のよだれにより上記使用者（２０）の服が濡れたり、上記使用者（２０）のニットのような肌触りの粗い服の材質により上記赤ちゃん（１０）の顔にトラブルが発生することを防ぐことができるよう上記赤ちゃん（１０）のよだれを一部吸収できる材質を含むことができる。
【００１０】また、上記よだれパッド部（１５０）は上記赤ちゃん（１０）にやわらかくふっくらとした感触を与えるため緩衝材質を含むことができる。上記肩固定部（２００）は上記よだれパッド部（１５０）の左上下部位及び右上下部位各々に上記使用者（２０）の左側及び右側の肩各々に包む構造で上記よだれパッド部（１５０）を上記胸部位に密着させる。このような肩固定部（２００）各々は延長部（２１０）及び締結部（２２０）を含む。
【００１１】上記延長部（２１０）は上記よだれパッド部（１５０）の左上下部位のうちどちらか一方または上記よだれパッド部（１５０）の右上下部位のうちどちらか一方から上記使用者（２０）の左側または右側の肩各々を包むよう延長される。
このような延長部（２１０）は下段部に第一結合部（２１２）を含む。上記延長部（２１０）は中間部位に長さ調整のための長さ調整部（２１４）をさらに含むことができる。この時、上記長さ調整部（２１４）は上記第一結合部（２１２）との間で二重の紐構造で長さ調整が可能な８字型バックルを含むことができる。これに上記８字型バックルの長さ調整部（２１４）を通して上記第一結合部（２１２）との間で二重の紐構造で簡単に調節することで、上記使用者（２０）の肩幅など上半身サイズによって上記よだれパッドを上記胸部位に完璧に密着させることができる。
【００１２】上記締結部（２２０）は上記よだれパッド部（１５０）の左上下部位のうちどちらか一方または上記よだれパッド部（１５０）の右上下部位のうちどちらか一方に装着され、上記第一結合部（２１２）と結合する第二結合部（２２２）を含む。これに上記第一及び第二結合部（２１２、２２２）は上記使用者（２０）がとても簡単に着脱できるよう上記第一結合部（２１２）はバックル構造を持つことができ、上記第二結合部（２２２）は上記バックル構造の第一結合部（２１２）に簡単に着脱できるようゴムバンド構造を持つことができる。この時、上記バックル構造の第一結合部（２１２）は上記長さ調整との間で上記二重の紐構造を維持するために全体的にＺ型構造を持つことができる。
【００１３】これとは異なり、上記第一及び第二結合部（２１２、２２２）はお互いにワンタッチ方式のフック結合するよう構成されることもある。例えば、上記第一及び第二結合部（２１２、２２２）はフック結合による着脱が簡単なスナップボタン（ｓｎａｐ  ｂｕｔｔｏｎ）構造を持つことができる。または上記第一及び第二結合部（２１２、２２２）はベルクロ（ｖｅｌｃｒｏ）タイプでお互いに着脱が簡単な構造を持つこともある。
【００１４】これと同じように上記赤ちゃん（１０）を抱っこした上記使用者（２０）の胸部位に上記よだれパッド部（１５０）を置いた状態で上記一対の肩固定部（２００）で上記よだれパッド部（１５０）の左上下部位及び右上下部位各々に上記使用者（２０）の左側及び右側の肩各々に包む構造で上記よだれパッド部（１５０）を上記胸部位に完全に密着させることで、上記使用者（２０）が移動する過程で発明の背景となる技術で説明したように上記よだれパッド部（１５０）が浮いたり、折れたりすることを原則防ぐことができる。これにより、上記使用者（２０）は上記赤ちゃん（１０）のよだれが服についたり、上記使用者（２０）のニットのような肌触りが粗い服により、赤ちゃん（１０）の顔の肌にトラブルが発生することを安全に防ぐことができる。
【００１５】それだけでなく、実際に本発明による赤ちゃんのよだれパッド（１００）は通常赤ちゃん（１０）を抱っこする時使用する図１での抱っこ紐（３０）とは別で上記一対の肩固定部（２００（３００）を通じて上記使用者（２０）の左側及び右側の肩に包む構造で連結することで上記抱っこ紐（３０）の種類即ち、肩ベルトタイプであれ、最近の軽量化の傾向によるファブリック生地で上記使用者（２０）の肩に広く広げ、体重を分散するスリングタイプであれ関係なくすべてのタイプで使用することができる。
【００１６】一方、上記赤ちゃんのよだれパッド（１００）はさらに上記よだれパッド部（１５０）を上記使用者（２０）の胸部位にさらに安全に密着させるために、上記使用者（２０）の背中部位で上記使用者（２０）の左側及び右側の肩各々に連結する延部（２１０）を各々の中央部位をお互いに長さ調整が可能な構造で連結する補助連結部（未図示）をさらに含むことができる。
【００１７】図５は図２に図示された赤ちゃんのよだれパッドを別の実施例により具体的に表した図面である。本実施例では肩固定部の延長部がよだれパッド部と連結した構造を除いては実質図１ないしは図４の構造と同じで、同じ構造に対しては同じ参照番号を使用し、その重複する詳細な説明は省略するものとする。
【００１８】図１及び図５を参照すると、本発明の他の実施例によるよだれパッド（４００）はレール部（５００）及びレール固定部（６００）をさらに含む。上記レール部（５００）は肩固定部（２００）で延長部（２１０）のよだれパッド部（１５０）の左上下部位のうちどちらか一方または上記右上下部位のうちどちらか一方と連結する部位に上記延長部（２１０）を左右方向の移動が可能なように形成される。上記レール固定部（６００）は上記レール部（５００）に設置された上記レールに沿って移動する上記延長部（２１０）を固定する。この時、上記レール部（５００）はフックタイプのレール構造またはローラータイプのレール構造を持つことができ、上記レール固定部（６００）はボルトタイプまたはフックタイプなどで簡単に上記延長部（２１０）を固定する構造を持つことができる。また、上記レール固定部（６００）はさらに簡単に位置を固定するためステップ（ｓｔｅｐ）方式により上記延長部（２１０）を固定する構造を持つことができる。
【００１９】こうすると、使用者（２０）のお互いに異なる方の位置によって上記延長部（２１０）の上記よだれパッド部（１５０）からの始点を上記レール部（５００）及び上記レール固定部（６００）を通じて簡単に調節できることにより、上記使用者（２０）はさらに上記よだれパッド部（１５０）を胸部位に安定的に密着させることができる。
【符号の説明】
【００２０】１０：赤ちゃん  ２０：使用者
３０：抱っこ紐  １００，４００：赤ちゃんのよだれパッド
１５０：よだれパッド部  ２００：肩固定部
２１０：延長部  ２１２：第一結合部
２１４：長さ調整部  ２２０：締結部
２２２：第二結合部  ５００：レール部
６００：レール固定部
【図１】
0003227217.tif 000003
【図２】
0003227217.tif 000004
【図３】
0003227217.tif 000005
【図４】
0003227217.tif 000006
【図５】
0003227217.tif 000007